(57)【特許請求の範囲】
【請求項１】
握持用の柄と；
上記柄の先端に設けられた弾力性を有する柱状の払拭材取付部と；
上記払拭材取付部に巻き付けて使用するシート状をした清掃用の払拭材と；
上記払拭材取付部の外面に沿って軸線方向に延びる、折り曲げた払拭材を引っ掛けるための掛止棒と；
上記掛止棒の近くで払拭材取付部に接離自在なるように配設され、掛止棒に折目を引っ掛けた状態で払拭材取付部に巻き付けられた払拭材の自由端を止着する止着部材と；
を有することを特徴とする使い捨て式払拭材を用いる清掃具。
【請求項２】
上記払拭材取付部が、中心軸の回りに弾力性ある筒状部材を取り付けることにより形成されていることを特徴とする請求項１に記載の使い捨て式払拭材を用いる清掃具。
【請求項３】
上記止着部材が、掛止棒を内包可能な溝形の断面形状を有していて、該掛止棒の上から払拭材取付部に当接することにより、該掛止棒及び払拭材取付部との間に払拭材の自由端を挟持する構成であることを特徴とする請求項１又は２に記載の使い捨て式払拭材を用いる清掃具。
【請求項４】
払拭材取付部の外面に該払拭材取付部の軸線方向に延びる窪みが形成されて、該窪み内に上記掛止棒と止着部材とが収納されていることを特徴とする請求項１ないし３のいずれかに記載の使い捨て式払拭材を用いる清掃具。
【発明の詳細な説明】
【０００１】
【発明の属する技術分野】
本発明は、使い捨て式払拭材を用いる清掃具に関するものである。
【０００２】
【従来の技術】
従来より、モップ等の清掃具として、柄の先端に設けられたプレート状の取付部に、紙や不織布等からなる平面シート状の払拭材を装着して使用するタイプのものは良く知られている。この清掃具は、清掃により払拭材に多量の塵埃が付着すると、この払拭材を廃棄して新しい払拭材と交換して使用する。
【０００３】
ところが、従来のこの種の清掃具は、プレート状の取付部に平面シート状の払拭材を取り付ける場合に、該払拭材を取付部の底面から両側面及び上面の一部にかけて巻き付け、該上面において払拭材の両端部を適宜手段で取付部に止着するようにしていたため、該払拭材の全表面のうち実際に清掃に使用される部分は、取付部の底面を覆った一部分だけであって、その他の部分は殆ど清掃に使用されず、この清掃に使用されない空白部分の割合は払拭材の全面積の約１／３にも達していた。このため、払拭材の使用効率が非常に悪く、不経済であるばかりでなく、ごみ減量や省資源の観点からも問題があり、しかも、消費者に払拭材の割高感を与える恐れがあった。
【０００４】
【発明が解決しようとする課題】
本発明の課題は、払拭材の全面を無駄なく清掃に使用することができる、払拭材の使用効率が良い清掃具を提供することにある。
【０００５】
【課題を解決するための手段及び作用】
上記課題を解決するため、本発明の清掃具は、握持用の柄と；上記柄の先端に設けられた弾力性を有する柱状の払拭材取付部と；上記払拭材取付部に巻き付けて使用するシート状をした清掃用の払拭材と；上記払拭材取付部の外面に沿って軸線方向に延びる、折り曲げた払拭材を引っ掛けるための掛止棒と；上記掛止棒の近くで払拭材取付部に接離自在なるように配設され、掛止棒に折目を引っ掛けた状態で払拭材取付部に巻き付けられた払拭材の自由端を止着する止着部材と；を有することを特徴とするものである。
【０００６】
上記構成を有する清掃具は、折曲した払拭材の折目を掛止棒に引っ掛け、その状態で該払拭材を払拭材取付部に巻き付けて、その自由端を止着部材で止着することにより、該払拭材を簡単に装着することができる。
また、清掃時には、上記払拭材の使用部分を周方向に少しずつ変えることにより、該払拭材のほぼ全周をもれなく清掃に使用することができる。このため払拭材の使用効率が非常に良い。
上記払拭材が汚れたら、止着部材を外すだけで該払拭材を逆回りに巻き直すことができ、これにより、該払拭材の反対側の表面を容易に清掃に使用することができる。
更に、上記払拭材を払拭材取付部から一旦取り外し、表裏反転させて折り曲げたあと、同様にして払拭材取付部に巻き付け、同様にして清掃に使用することにより、該払拭材の表裏の全面をもれなく清掃に使用することができる。
【０００７】
本発明においては、上記払拭材取付部が、中心軸の回りに弾力性ある円筒状部材を取り付けることにより形成されている。
本発明の具体的な構成態様によれば、上記止着部材が、掛止棒を内包可能な溝形の断面形状を有していて、該掛止棒の上から払拭材取付部に当接することにより、該掛止棒及び払拭材取付部との間に払拭材の自由端を挟持するように構成されている。
【０００８】
本発明の好ましい一つの構成態様によれば、上記払拭材取付部の外面に該払拭材取付部の軸線方向に延びる窪みが形成されていて、該窪み内に上記掛止棒と止着部材とが収納されている。
この構成により、上記掛止棒と止着部材とが払拭材取付部の外表面に突出しないため、それらが清掃の邪魔になることがなく、清掃作業が容易になる。
【０００９】
【発明の実施の形態】
以下、本発明の実施形態につき図面を参照しながら詳細に説明する。図１ないし図５は本発明の第１実施例を示すもので、図１は清掃具本体１を、図２は該清掃具本体に取り付けて使用する平面シート状の払拭材２を示している。
【００１０】
上記清掃具本体１は、握持用の柄３と、該柄３の先端に形成された円柱状の払拭材取付部４とを有している。この払拭材取付部４は、図３からも分るように、柄３から延びる硬質又は半硬質の中心軸３ａの回りに、合成樹脂発泡体や天然ゴム又は合成ゴム等の弾力性及び柔軟性を持った素材からなる円筒状部材４ａを取り付けることにより、形成されたものである。
【００１１】
上記清掃具本体１には、図４からも分かるように、２つ折りした払拭材２を折り目２ｂの位置で引っ掛けるための掛止棒６と、払拭材取付部４に巻き付けられた払拭材２の自由端２ａを止着するための止着部材７とが設けられている。
上記掛止棒６は、針金や合成樹脂線条のような剛性ある細線からなっていて、払拭材取付部４の外表面に沿って該払拭材取付部４の軸線方向に延設され、その基端部６ａが柄３に固定されている。該掛止棒６の長さは、上記払拭材取付部４とほぼ同じか又はそれよりもやや短めに形成されている。
【００１２】
一方、上記止着部材７は、合成樹脂や金属のような硬質又は半硬質の素材により、少なくとも上記掛止棒６に対応する前方部分が該掛止棒６を内包可能な溝形断面形状を有するように形成され、基端部７ａをピン８で回動自在に枢支することにより、柄３に、上記掛止棒６の位置で払拭材取付部４に接離自在なるように取り付けられ、該掛止棒６及び払拭材取付部４との間に払拭材２の自由端２ａを挟持するものである。この場合、該止着部材７は、払拭材取付部４から離間する解放位置（図１の実線位置）と、払拭材取付部４に当接する止着位置（図１の鎖線位置）とにそれぞれ係止させ得るように構成しても良いが、これら両位置に係止可能とすることなく、該止着部材７の基端部７ａを柄３と共に握持することによって、該止着部材７を上記止着位置に保持する構成であっても良い。
なお、上記止着部材７は、その先端が掛止棒６の先端と同じ位置にあるか又は掛止棒６の先端よりやや前方に突出するような長さに形成されている。
【００１３】
上記払拭材２は、ティシュペーパのような紙や、織布あるいは不織布のような布地等からなるもので、図２から分るように、折り目２ｂの位置で２つ折りしてその折り目を上記掛止棒６に引っ掛けた状態で、払拭材取付部４の回りにちょうど一巻きすることができる大きさの矩形状に形成されている。該払拭材２には必要に応じて着塵剤を含浸することができる。
【００１４】
上記構成を有する清掃具は、図４に示すように、止着部材７を払拭材取付部４から離間する解放位置に変移させた状態で、２つ折りした払拭材２を折り目２ｂの位置で掛止棒６に引っ掛けて、上記払拭材取付部４の回りに巻き付けたあと、図５に示すように、上記止着部材７を払拭材取付部４に当接する止着位置に変移させ、払拭材２の自由端２ａを該止着部材７と掛止棒６及び払拭材取付部４との間に挟持させることにより、上記払拭材２を取り付ける。
払拭材２を取り付けた上記清掃具は、該払拭材２を被清掃部位に押し当てて清掃するが、払拭材取付部４が円柱状をなしているため、これに巻き付けた払拭材２を円周方向に少しずつ位置を変えながら使用することにより、該払拭材２の全周をもれなく清掃に使用することができる。従って該払拭材２の使用効率が非常に良い。
【００１５】
上記払拭材２が汚れたら、止着部材７を解放位置に変移させ、払拭材２を掛止棒６に引っ掛けたまま払拭材取付部４の回りに今までとは逆向きに巻き付け、再び止着部材７で止着する。これにより、該払拭材２の反対側の表面を露出させて清掃に使用することができる。
２つ折りした払拭材２の両表面が汚れたら、該払拭材２を払拭材取付部４から一旦取り外し、表裏反転させて２つに折り曲げたあと、上記と同様にして払拭材取付部４に巻き付け、同様にしてその両面を清掃に使用する。
これにより、上記払拭材２の表裏全面をもれなく清掃に使用することができ、該払拭材２の使用効率は従来品に比べて格段に向上する。
【００１６】
図６は本発明の第２実施例を示すもので、この第２実施例では、払拭材取付部４Ａの外側面にその軸線方向に延びる窪み１０を形成し、該窪み１０内に上記第１実施例のものと同様の掛止棒６と止着部材７とを収納している。これにより、上記掛止棒６と止着部材７とが払拭材取付部４の外表面に突出しなくなるため、それらがじゃまになって清掃を行いにくいといった問題がなくなる。
なお、第２実施例の上記以外の構成は実質的に第１実施例と同じである。
【００１７】
上記各実施例では、払拭材取付部４，４Ａの断面形状が円形であるが、それは楕円形やそれに類する形状であっても良く、あるいはそれら以外の形状、例えば四角形などであっても良い。
【００１８】
【発明の効果】
以上説明したように本発明の清掃具によれば、折曲した払拭材の折り目を掛止棒に引っ掛け、その状態で該払拭材を払拭材取付部に巻き付けて、その自由端を止着部材で止着することにより、該払拭材を簡単に装着することができる。
また、清掃時には、上記払拭材の使用部分を周方向に少しずつ変えることにより、該払拭材のほぼ全周をもれなく清掃に使用することができ、払拭材の使用効率が非常に良い。
更に、上記払拭材を逆回りに巻き直すことにより、該払拭材の反対側の表面をも簡単に清掃に使用することができるだけでなく、該払拭材を払拭材取付部から一旦取り外して表裏反転させることにより、該払拭材の表裏の全面をもれなく清掃に使用することができ、このため、従来の清掃具に比べて払拭材の使用効率が著しく高い。
【図面の簡単な説明】
【図１】本発明の第１実施例を示す清掃具本体の側面図である。
【図２】払拭材の平面図である。
【図３】図１におけるＡ−Ａ線での断面図である。
【図４】払拭材の取り付け方法を示す図３と同様位置での断面図である。
【図５】払拭材を取り付けた状態での図３と同様位置での断面図である。
【図６】本発明の第２実施例を示す図３と同様位置での断面図である。
【符号の説明】
２  払拭材                      ２ａ  自由端
３  柄                          ３ａ  中心軸
４，４Ａ  払拭材取付部          ４ａ  筒状部材
６  掛止棒                      ７  止着部材
１０  窪み                      １１  係止部材
【図１】
0003571420.tif 000002
【図２】
0003571420.tif 000003
【図３】
0003571420.tif 000004
【図４】
0003571420.tif 000005
【図５】
0003571420.tif 000006
【図６】
0003571420.tif 000007